(57)【要約】【課題】供給される気体と液体の温度差に起因する変形による弊害がなく、また気体供給管側への液体の流入が生じない気液混合器を提供する。【解決手段】本発明に係る気液混合器１は、筒状の流体流路形成部９と、液体供給口１１と混合流体排出口１３とを有する本体部２と、流体流路形成部９の外側又は内側に設けられて流体流路形成部９を通流する液体に気体を供給する気体供給部３と、気体供給管５が接続される気体供給管接続部７とを備えてなり、気体供給部３は、流体流路形成部９の内部を通流する液体と気体供給部３に供給された気体との間を仕切るように設けられた仕切り壁２１を有し、仕切り壁２１は供給された気体を前記液体に供給する気体供給孔２３を少なくとも１つ有してなり、気体供給管接続部７は、設置状態において全ての気体供給孔２３の位置よりも上方の位置に設けられている。【選択図】  図１
2017018939.tif 000002
【特許請求の範囲】
【請求項１】
液体に気体を直接接触させて前記液体に前記気体を混合、溶解、あるいは前記気体を液化させる気液混合器であって、
前記液体及び気体と液体の混合流体が通流する流体流路を形成する筒状の流体流路形成部と、設置した状態で前記流体流路形成部の下部側となる部位に設けられ前記流体流路形成部に液体を供給する液体供給口と、設置した状態で前記流体流路形成部の上部側となる部位に設けられて前記流体流路形成部から流出する混合流体を排出する混合流体排出口とを有する本体部と、
前記流体流路形成部の外側又は内側に設けられて前記流体流路形成部を通流する液体に気体を供給する気体供給部と、
該気体供給部に気体を供給する気体供給管が接続される気体供給管接続部とを備えてなり、
前記気体供給部は、前記流体流路形成部の内部を通流する液体と気体供給部に供給された気体との間を仕切るように設けられた仕切り壁を有し、該仕切り壁は供給された気体を前記液体に供給する気体供給孔を少なくとも１つ有してなり、
前記気体供給管接続部は、設置状態において全ての前記気体供給孔の位置よりも上方の位置に設けられていることを特徴とする気液混合器。
【請求項２】
前記流体流路形成部は、ベンチュリ形状に形成されており、前記気体供給孔は、前記ベンチュリ形状におけるのど部よりも下流側に設けられていることを特徴とする請求項１記載の気液混合器。
【請求項３】
前記気体供給部に、複数の気体供給管接続部が設けられていることを特徴とする請求項１又は２に記載の気液混合器。
【請求項４】
前記気体供給管接続部は、前記気体供給管から供給された気体を周方向にまわり込ませるための空間であるベーパーベルトを備えていることを特徴とする請求項１乃至３のいずれか一項に記載の気液混合器。
【請求項５】
前記流体流路形成部を流路方向で２分割された筒状部材で形成し、該２分割された筒状部材の下側に配置される筒状部材の上端部を、上側に配置される筒状部材の下端部に挿入したことを特徴とする請求項１乃至４のいずれか一項に記載の気液混合器。
【請求項６】
前記気体供給部に供給された気体を分散する充填物を充填したことを特徴とする請求項１乃至５のいずれか一項に記載の気液混合器。
【発明の詳細な説明】
【技術分野】
【０００１】
本発明は、例えばＬＮＧ等の低温液体にＬＮＧタンクから排出される蒸発ガスを直接接触させて混合する気液混合器に関する。
なお、混合する気体と液体については、特に限定されるものではない。
【背景技術】
【０００２】
液体に気体を混合する気液混合器として、例えば特許文献１に開示のジェットミキサーがある。
特許文献１に開示のジェットミキサーは、「流体送給系に配設され、上流側の流体送入口と、下流側の流体送出口と、混合すべき気体または液体の送給口をそれぞれ外周壁に有する本体と、前記流体送入口と前記流体送出口との間に介挿固定され、かつ液体にスロットトル効果を与える貫通路と該流路の外周壁に穿設された複数の小孔を有する噴射管とを含むものである。」（特許文献１の請求項（１）参照）
【先行技術文献】
【特許文献】
【０００３】
【特許文献１】特開平４−４５８３２号公報
【発明の概要】
【発明が解決しようとする課題】
【０００４】
特許文献１には、ジェットミキサーを横置き、すなわち送入口と送出口がほぼ同一レベルになるように配置して用いるか、縦置き、すなわち送入口と送出口が上下の位置関係になるように配置して用いるかについては特に限定されていない。
しかし、上記ジェットミキサーを横置き、または縦置きして用いた場合には、以下のような問題がある。
【０００５】
＜横置きした場合の問題点＞
例えば、液体としてＬＮＧのような低温液体を流し、気体として蒸発ガスを前記低温液体に混合する場合、液体流路となる貫通路の外周壁の小孔を介して気体が液体流路内の液体に供給される。
このとき、外周壁の上側の空間は比重の軽い気体で満たされるが、外周壁の下側の空間は比重の重い低温液体で満たされることになる。
そのため、本体の下部と上部で大きな温度差が生じ、本体の下部が低温液体に冷やされることで収縮し、本体を上に凸の湾曲形状に曲げるような曲げ応力が生じる。このため、本体の送入口、送出口との接続部から液体の漏れが発生する可能性があり、曲げ応力が大きい場合には破壊が生じる可能性もある。
【０００６】
＜縦置きした場合の問題点＞
縦置きした場合には、本体の側壁に形成された気体供給管の接続部から液体が気体供給管側に流れ込むことが考えられる。
この場合、気体供給管において、上述した場合と同様に気体供給管の下部と上部の収縮率の違いから変形等が生じて、気体供給管の接続部から漏れが生じたり、破壊が生じたりする可能性がある。
また、気体供給管内に多量の低温液体が流入すると、ハンマリング現象が生ずることも考えられる。
【０００７】
本発明はかかる課題を解決するためになされたものであり、供給される気体と液体の温度差に起因する変形による弊害がなく、また気体供給管側への液体の流入が生じない気液混合器を提供することを目的としている。
【課題を解決するための手段】
【０００８】
（１）本発明に係る気液混合器は、液体に気体を直接接触させて前記液体に前記気体を混合、溶解、あるいは前記気体を液化させるものであって、
前記液体及び気体と液体の混合流体が通流する流体流路を形成する筒状の流体流路形成部と、設置した状態で前記流体流路形成部の下部側となる部位に設けられ前記流体流路形成部に液体を供給する液体供給口と、設置した状態で前記流体流路形成部の上部側となる部位に設けられて前記流体流路形成部から流出する混合流体を排出する混合流体排出口とを有する本体部と、
前記流体流路形成部の外側又は内側に設けられて前記流体流路形成部を通流する液体に気体を供給する気体供給部と、
該気体供給部に気体を供給する気体供給管が接続される気体供給管接続部とを備えてなり、
前記気体供給部は、前記流体流路形成部の内部を通流する液体と気体供給部に供給された気体との間を仕切るように設けられた仕切り壁を有し、該仕切り壁は供給された気体を前記液体に供給する気体供給孔を少なくとも１つ有してなり、
前記気体供給管接続部は、設置状態において全ての前記気体供給孔の位置よりも上方の位置に設けられていることを特徴とするものである。
【０００９】
（２）また、上記（１）に記載のものにおいて、前記流体流路形成部は、ベンチュリ形状に形成されており、前記気体供給孔は、前記ベンチュリ形状におけるのど部よりも下流側に設けられていることを特徴とするものである。
【００１０】
（３）また、上記（１）又は（２）に記載のものにおいて、前記気体供給部に、複数の気体供給管接続部が設けられていることを特徴とするものである。
【００１１】
（４）また、上記（１）乃至（３）のいずれかに記載のものにおいて、前記気体供給管接続部は、前記気体供給管から供給された気体を周方向にまわり込ませるための空間であるベーパーベルトを備えていることを特徴とするものである。
【００１２】
（５）また、上記（１）乃至（４）のいずれかに記載のものにおいて、前記流体流路形成部を流路方向で２分割された筒状部材で形成し、該２分割された筒状部材の下側に配置される筒状部材の上端部を、上側に配置される筒状部材の下端部に挿入したことを特徴とするものである。
【００１３】
（６）また、上記（１）乃至（５）のいずれかに記載のものにおいて、前記気体供給部に供給された気体を分散する充填物を充填したことを特徴とするものである。
【発明の効果】
【００１４】
本発明においては、液体及び気体と液体の混合流体が通流する流体流路を形成する筒状の流体流路形成部と、設置した状態で前記流体流路形成部の下部側となる部位に設けられ前記流体流路形成部に液体を供給する液体供給口と、設置した状態で前記流体流路形成部の上部側となる部位に設けられて前記流体流路形成部から流出する混合流体を排出する混合流体排出口とを有する本体部と、前記流体流路形成部の外側又は内側に設けられて前記流体流路形成部を通流する液体に気体を供給する気体供給部と、該気体供給部に気体を供給する気体供給管が接続される気体供給管接続部とを備えてなり、
前記気体供給部は、前記流体流路形成部の内部を通流する液体と気体供給部に供給された気体との間を仕切るように設けられた仕切り壁を有し、該仕切り壁は供給された気体を前記液体に供給する気体供給孔を少なくとも１つ有してなり、
前記気体供給管接続部は、設置状態において全ての前記気体供給孔の位置よりも上方の位置に設けられていることにより、供給される気体と液体の温度差に起因する変形を抑制でき、また気体が供給されている運転状態において気体供給管側への液体の流入が生じないので、気体供給管側への液体の流入に起因する気体供給管の変形や気体供給管でのハンマリング現象の発生を抑制できる。
【図面の簡単な説明】
【００１５】
【図１】本発明の実施の形態１に係る気液混合器の説明図である。
【図２】図１に示した気液混合器の使用方法の一例を示す図である。
【図３】本発明の実施の形態２に係る気液混合器の説明図である。
【図４】本発明の実施の形態３に係る気液混合器の説明図である。
【図５】本発明の実施の形態４に係る気液混合器の説明図である。
【図６】本発明の実施の形態５に係る気液混合器の説明図である。
【図７】本発明の実施の形態１に係る気液混合器の他の態様の説明図である（その１）。
【図８】本発明の実施の形態１に係る気液混合器の他の態様の説明図である（その２）。
【図９】本発明の実施の形態１に係る気液混合器の他の態様の説明図である（その３）。
【図１０】本発明の実施の形態２に係る気液混合器の他の態様の説明図である（その１）。
【図１１】本発明の実施の形態１に係る気液混合器の他の態様の説明図である（その４）。
【図１２】図１３に示す充填物の形状を説明する説明図である。
【図１３】本発明の実施の形態１に係る気液混合器の他の態様の説明図である（その５）。
【図１４】本発明の実施の形態２に係る気液混合器の他の態様の説明図である（その２）。
【図１５】本発明の実施の形態４に係る気液混合器の他の態様の説明図である。
【発明を実施するための形態】
【００１６】
［実施の形態１］
本発明の実施の形態１に係る気液混合器１は、図１に示すように、液体が通流する筒状の本体部２と、本体部２内を流れる液体に気体を供給する気体供給部３と、気体供給部３に気体を供給する気体供給管５が接続される気体供給管接続部７とを備えている。
以下、各構成を詳細に説明する。
【００１７】
＜本体部＞
本体部２は、液体及び気体と液体の混合流体が通流する流体流路を形成する円筒状の流体流路形成部９を備えている。そして、流体流路形成部９における設置状態で下部側となる部位に液体供給口１１を有し、上部側となる部位に混合流体排出口１３を有している。
液体供給口１１には、液体を供給する液体供給管１５が接続され、混合流体排出口１３には混合流体を排出する混合流体排出管１７が接続されている。
なお、図１においては、流体流路形成部９と液体供給管１５との境界部及び流体流路形成部９と混合流体排出管１７との境界部を破線で示しているが、実機では破線部がフランジや溶接による接続部となる。
また、流体流路形成部９の形状は特に限定されない。
【００１８】
なお、気液混合器１は、液体供給口１１が下部となり、混合流体排出口１３が上部となるように設置される。
気液混合器１の設置状態の姿勢は、本体部２がほぼ垂直（例えば、９０°〜８０°程度）になるのが好ましい。
このような姿勢にすることで、気体供給部３に流入する液体が気体供給部の周方向でほぼ同一レベルとなり、前記液体がＬＮＧのような低温液体であった場合でも気液供給部の熱収縮量の違いによる偏った変形を防止できる。
なお、気液混合器１の姿勢として、液体供給口１１及び混合流体排出口１３のそれぞれの中心を結ぶ直線の傾きが４５°以上であれば、許容できる範囲である。
【００１９】
また、液体供給口１１を下側に、混合流体排出口１３を上側にすることで、流体流路形成部９内を液体が下から上へ流れ、このような流れの途中から気体を供給することで、供給される気体が液体の流れを阻害することなく、速やかに混合される。
この点、仮に上から下に流れる液体に気体を供給すると、気体は液体よりも密度が小さいため、液体の流速の遅い部分に滞留して圧力損失が大きくなったり、液体の流れが不安定になったりする恐れがある。
【００２０】
＜気体供給部＞
気体供給部３は、流体流路形成部９の外側に設けられて流体流路形成部９の内部を通流する液体に気体を供給する。
気体供給部３は、流体流路形成部９を外側から覆うように形成された外筒１９と、流体流路形成部９の内部を通流する液体と気体供給部３に供給された気体とを仕切るように設けられた仕切り壁２１とを有している。そして、仕切り壁２１には供給された気体を流体流路形成部９の内部を通流する液体に供給するための複数の気体供給孔２３を有している。
本例では、気体供給孔２３を複数設けているが、本発明においては、少なくとも１つ設けてあればよい。もっとも、気体供給孔２３を、孔径を小さくして複数設けることで、気体を分散して供給することができ、供給された気体が液体に速やかに混合されるという効果が得られる。
【００２１】
＜気体供給管接続部＞
気体供給管接続部７は、気体供給部３に気体を供給する気体供給管５が接続される部位であり、気体供給部３の外筒１９に連通するように設けられた管体によって構成されている。
気体供給管接続部７は、気液混合器１を設置した状態において全ての気体供給孔２３の位置よりも上方の位置になるように設けられている。
【００２２】
次に、上記のように構成された本実施の形態の気液混合器１の使用方法について、図１及び使用方法の一例を示す図２に基づいて説明する。
図２は、気液混合器１を、ＬＮＧを貯留する貯留槽２５から送出されるＬＮＧにＬＮＧの蒸発ガスを混合するために使用した例であり、図２において、２７は貯留槽２５内のＬＮＧから発生する蒸発ガスを抜き出す蒸発ガス抜出し管、２９は蒸発ガス抜出し管２７によって供給される蒸発ガスを圧縮する蒸発ガス圧縮機であり、蒸発ガス圧縮機２９によって圧縮された蒸発ガスは調節弁３０が設けられた気体供給管５を介して気液混合器１に供給される。
【００２３】
また、貯留槽２５には、ＬＮＧを送出する送出管３１が接続され、送出管３１にはプライマリポンプ３３が設けられている。送出管３１から送出されたＬＮＧは液体供給管１５を介して気液混合器１に供給される。
混合流体排出管１７には混合液をさらに昇圧するセカンダリポンプ３５が設けられ、さらにその下流側には低温液体を気化する気化器３７が設けられている。
なお、上述したように、気液混合器１は、液体供給口１１が下部となり、混合流体排出口１３が上部となるように設置されている。
【００２４】
ＬＮＧが液体供給口１１を介して流体流路形成部９の内部に供給される。また、気体供給管５によって供給される蒸発ガスが気体供給管接続部７を介して気体供給部３に供給される。
運転状態では、気体供給部３に供給された蒸発ガスが気体供給孔２３を介して流体流路形成部９の内部を流れるＬＮＧに供給されて混合され、再液化される。
【００２５】
このとき、流体流路形成部９を流れるＬＮＧの一部は気体供給部３内に流入する。一方、気体供給部３には気体供給管５から気体供給管接続部７を介して蒸発ガスも供給されており、この供給された蒸発ガスは、気体供給孔２３を介して流体流路形成部９の内部を流れるＬＮＧに供給される以外流通経路が無いため、少なくとも１つの、最も上方にある気体供給孔２３は蒸発ガスの流路として確保されることになる。従って、蒸発ガスが供給されている運転状態において、気体供給部３内に流入したＬＮＧの液面は、最も上方に位置する気体供給孔２３より上に上がることは無い。
本発明においては、気体供給管接続部７が全ての気体供給孔２３よりも上方に位置しているので、気体供給管接続部７の位置は気体供給部３に流入したＬＮＧの液面よりも上方になる。そのため、ＬＮＧが気体供給管接続部７に流入することがない。よって、気体供給管接続部７から気体供給管５にＬＮＧが逆流することがなく、気体供給管５において温度差に起因する変形や、ウォータハンマー現象が生ずることがない。
なお、気体供給孔２３が複数ある場合、気体供給部３内に流入したＬＮＧの液面の高さは、気液混合器１の運転条件、特に蒸発ガス流量によって変化する。蒸発ガス流量が大きい場合は、多くの気体供給孔２３が蒸発ガスの流路として使用されるため、ＬＮＧの液面は低くなる。逆に蒸発ガス流量が小さい場合、ＬＮＧの液面は高くなる。
【００２６】
以上のように、本実施の形態によれば、気体供給管接続部７を、設置状態において全ての気体供給孔２３の位置よりも上方の位置に設けたことにより、供給される気体と液体の温度差に起因する変形を抑制でき、また気体が供給されている運転状態において気体供給管５側への液体の流入が生じないので、気体供給管５側への液体の流入に起因する気体供給管５の変形や気体供給管５でのハンマリング現象の発生を抑制できる。
【００２７】
［実施の形態２］
本実施の形態を図３に基づいて説明する。図３において、図１に示した部位と同等部分には同一の符号を付してある。
本実施の形態に係る気液混合器３９は、本体部２における流体流路形成部４１をベンチュリ形状に形成したものであり、気体供給孔２３は、前記ベンチュリ形状におけるのど部４３よりも下流側に設けられている。その他の構成は、実施の形態１と同様である。
なお、のど部とは、ベンチュリ形状において最も流路断面積が絞られた部位のことをいう。
【００２８】
本実施の形態においても、実施の形態１と同様の効果を奏することができる。
また、流体流路形成部４１をベンチュリ形状にしたことで、液体の乱れを促進して供給される気体をより分散し、混合効果を促進できる。
さらに、気体供給孔２３をベンチュリ形状におけるのど部４３よりも下流側に設けたことにより、供給された気体がのど部４３で滞ることがなく、またベンチュリ形状部を流れるＬＮＧの流速が増したことによる吸引効果によって蒸発ガスが流体流路形成部４１内に効果的に流入して、効率的な混合、再液化ができる。
【００２９】
［実施の形態３］
本実施の形態を図４に基づいて説明する。図４において、図１に示した部位と同等部分には同一の符号を付してある。
本実施の形態の気液混合器４５は、気体供給部３に、複数の気体供給管接続部７が設けられていることを特徴とするものである。
【００３０】
本実施の形態では、全ての気体供給管接続部７の位置が、全ての気体供給孔２３よりも上方になるように配置されている。
【００３１】
本実施の形態においても、実施の形態１と同様の効果を奏することができる。
また、複数の気体供給管接続部７を設けたことで、各気体供給管接続部７に気体供給管５を接続することができ、気体供給部３の複数位置から気体を分配供給することが可能となり、より均一な供給が実現できる。特に、複数の気体供給管接続部７を気体供給部３の周方向に設けることにより、気体供給部３の周方向の複数方向からの気体供給が可能となり、気体供給の偏流を防止でき、気体供給部３への気体の供給の均等化、ひいては、流体流路形成部９への気体の供給の均等化を図ることができる。
また、気体供給部３内に逆流した液体の液面を安定化させることができ、これによって運転状態において液体が気体供給管接続部７に流入するのをより確実に防止できる。
【００３２】
［実施の形態４］
本実施の形態を図５に基づいて説明する。図５において（ａ）は気液混合器４７を側面から見た図、（ｂ）は気液混合器４７を上面から見た図であり、図１に示した部位と同等部分には同一の符号を付してある。
本実施の形態の気液混合器４７は、気体供給管接続部７に、気体供給管５から供給された気体を周方向にまわり込ませるための空間であるベーパーベルト４９を設けたものである。
ベーパーベルト４９は、外筒１９における気体供給管接続部７が接続される部位を他の部位よりも拡径した拡径部１９ａとし、拡径部１９ａの内側に多数の通気孔５１を有する通気壁５３を設けて形成されている。
【００３３】
本実施の形態においても、実施の形態１と同様の効果を奏することができる。
また、気体供給管接続部７にベーパーベルト４９を設けたことにより、実施の形態３と同様に、気体供給の偏流を防止でき、さらに、多数の通気孔５１を有する通気壁５３を設けることにより、偏流防止効果をより高めることができる。これにより、気体供給部３、ひいては、流体流路形成部９への気体の供給の均等化が図られると共に、気体供給部３内に逆流した液体の液面を安定化させることができ、運転状態において液体が気体供給管接続部７に流入するのをより確実に防止できる。ただし、通気孔５１と通気壁５３は必須のものではない。
【００３４】
［実施の形態５］
本実施の形態を図６に基づいて説明する。図６において、図１に示した部位と同等部分には同一の符号を付してある。
本実施の形態の気液混合器５５は、気体供給部３が流体流路形成部５７の内側、すなわち流体流路内に配置されている。
気体供給部３は、流体流路形成部５７内に配置された筒状体５９からなり、筒状体５９の周壁位の一部が仕切り壁２１となり、仕切り壁２１に気体供給孔２３が設けられている。
【００３５】
本実施の形態においても、他の実施の形態と同様に、気体供給管接続部７の位置が、全ての気体供給孔２３の位置よりも上方になるように配置されている。
したがって、実施の形態１と同様の効果を奏することができる。
【００３６】
また、本実施の形態では、流体流路形成部５７をベンチュリ形状としており、気体供給部３をベンチュリ部ののど部４３の下流側に配置しているので、実施の形態２と同様の効果を奏することができる。
【００３７】
なお、上記の実施の形態では、流体流路形成部９、４１、５７を連続する一つの部材で形成した例を示した。
しかし、流体流路形成部９、４１、５７内は低温のＬＮＧが流れるため流体流路形成部９、４１、５７は冷やされて低温になり、他方、気体供給部３はＬＮＧより高温の蒸発ガスが供給されるため、外筒１９は流体流路形成部９、４１、５７よりも温度が高くなる。
このため、流体流路形成部９、４１、５７と外筒１９で温度差が生じ、双方が一体構造で接続されていると軸方向の応力が発生することが懸念される。
このような応力を緩和するため、流体流形成部９、４１、５７を一体的に形成するのではなく、軸方向（上下方向）で分割して応力が発生しないようにするのが好ましい。
【００３８】
例えば、実施の形態１の気液混合器１の場合であれば、図７に示すように、液体供給口１１の近傍で分割して、流体流路形成部９の上流側（下側）を小径の管部材９ａとし、下流側（上側）を大径の管部材９ｂとして、小径の管部材９ａの端部を大径の管部材９ｂに挿入するようにすればよい。
これにより、流体流形成部９と外筒１９で温度差が生じても小径の管部材９ａと大径の管部材９ｂが相対移動できるため、軸方向の応力の発生を防止することができる。
また、流体流路形成部９を分割することで、気液混合器１の分解やメンテナンスが容易になるという効果も得られる。
【００３９】
なお、上記のような構造を実施する場合において、組立やメンテナンスをさらに容易にするため、図８に示すように、外筒１９を下側の外筒１９Ａと上側の外筒１９Ｂに分割すると共に、下側の外筒１９Ａに小径の管部材９ａを、上側の外筒１９Ｂに大径の管部材９ｂをそれぞれ固定し、分割した外筒１９Ａ、１９Ｂにそれぞれフランジ部６１ａ、６１ｂを取り付け、フランジ部６１ａ、６１ｂをボルト接合することで外筒１９Ａ、１９Ｂを接合するようにしてもよい。
【００４０】
また、図９に示すように、外筒１９の両端にフランジ部６３、６５を、また小径の管部材９ａにフランジ部６７を、さらに大径の管部材９ｂにフランジ部６９をそれぞれ取り付け、フランジ部６３とフランジ部６７、及びフランジ部６５とフランジ部６９をそれぞれボルト接合するようにしてもよい。
【００４１】
図４に示した実施の形態３の気液混合器４５、図５に示した実施の形態４の気液混合器４７についても上記と同様に流体流路形成部９を分割構造にすることができる。
【００４２】
また、実施の形態２に示した気液混合器３９の流体流路形成部４１の場合には、図１０に示すように、のど部４３に嵌合部を設けるようにすればよい。具体的にはのど部４３の上流側を小径部４３ａ、下流側を大径部４３ｂとし、小径部４３ａを大径部４３ｂに挿入する構造にすればよい。のど部４３では液体の流速が増すので、吸引効果によって流体流路形成部４１を流れる液体が嵌合部から外部に漏れるのが防止される。
【００４３】
なお、嵌合部を設けるのはのど部４３に限定されず、例えばのど部４３の下流側の拡径部に設けてもよい。
【００４４】
また、上記の実施の形態においては気体供給部３が空洞のものを示したが、供給される気体を分散・整流して偏流を防止するための充填物を気体供給部３に充填するようにしてもよい。
例えば、実施の形態１の気液混合器１の気体供給部３に充填物７１を充填する場合、図１１に示すように、充填物７１を円筒体に一体成形して充填するようにすればよい。
充填物７１としては、多孔質状のもの、球体を集めて接着剤で固定したもの、あるいは波板状のプレートやメッシュを組み合わせたもの、あるいは特許文献１に開示されているブロック状ばねを一体型に加工したもの等でもよい。
【００４５】
なお図８に示した外筒１９を上下二分割したようなものの場合、一体成形した充填物７１を図１２に示すように、鍔部７１ａを有する鍔付き形状にして、図１３に示すように、鍔部７１ａをフランジ部６１ａ、６１ｂで挟持することで外筒１９に固定するようにしてもよい。
【００４６】
図１４は、図１０に示した気液混合器３９に充填物７１を充填した例を示し、図１５は実施の形態４の気液混合器４７の流体流路形成部９を２分割にしたものに充填物７１を充填した例を示している。
【００４７】
充填物７１を充填することで、供給される気体を整流して偏流を防止できると共にウォータハンマー現象を抑制できるという効果も奏する。
【符号の説明】
【００４８】
１  気液混合器（実施の形態１）
２  本体部
３  気体供給部
５  気体供給管
７  気体供給管接続部
９  流体流路形成部
９ａ  小径の管部材
９ｂ  大径の管部材
１１  液体供給口
１３  混合流体排出口
１５  液体供給管
１７  混合流体排出管
１９  外筒
１９Ａ  下側の外筒
１９Ｂ  上側の外筒
２１  仕切り壁
２３  気体供給孔
２５  貯留槽
２７  蒸発ガス抜出し管
２９  蒸発ガス圧縮機
３０  調節弁
３１  送出管
３３  プライマリポンプ
３５  セカンダリポンプ
３７  気化器
３９  気液混合器（実施の形態２）
４１  流体流路形成部
４３  のど部
４５  気液混合器（実施の形態３）
４７  気液混合器（実施の形態４）
４９  ベーパーベルト
１９ａ  拡径部
５１  通気孔
５３  通気壁
５５  気液混合器（実施の形態５）
５７  流体流路形成部
５９  筒状体
６１ａ、６１ｂ、６３、６５、６７、６９  フランジ部
７１  充填物
７１ａ  鍔部
【図１】
2017018939.tif 000003
【図２】
2017018939.tif 000004
【図３】
2017018939.tif 000005
【図４】
2017018939.tif 000006
【図５】
2017018939.tif 000007
【図６】
2017018939.tif 000008
【図７】
2017018939.tif 000009
【図８】
2017018939.tif 000010
【図９】
2017018939.tif 000011
【図１０】
2017018939.tif 000012
【図１１】
2017018939.tif 000013
【図１２】
2017018939.tif 000014
【図１３】
2017018939.tif 000015
【図１４】
2017018939.tif 000016
【図１５】
2017018939.tif 000017